(57)【特許請求の範囲】
【請求項１】
側方に開口部を有する縦長の箱状に形成されたケース本体において、ケース本体内に、矩形状の暴露試験片や、矩形状のＡＣＭセンサーを配置する収納部を、縦方向に複数設け、
ケース本体は、矩形状の天板及び底板を所定の間隔を開けて上下に配置し、天板と底板の一方側の側辺同士、他方側の側辺同士を接続するように長方形の側板をそれぞれ固定し、天板と底板の基端側の側辺同士、両側板の基端側の長手方向における側辺に沿った部分同士を接続するように長方形の背板を固定し、
ケース本体内に、所定の間隔を開けて矩形状の固定板を複数配置すると共に、固定板の左右両端部において、ケース本体の側板に沿うように長方形の支持板を配置し、両支持板の上縁とその上方に位置している天板の間に形成されている空間、また、両支持板の上縁とその上方に位置している固定板の間に形成されている空間を、暴露試験片やＡＣＭセンサーの収納部としていることを特徴とする、暴露試験片の箱型収納ホルダー。
【請求項２】
ケース本体は、個々の収納部に暴露試験片やＡＣＭセンサーを配置した状態で、収納部に挿入する長方形状の閉鎖板を備えている請求項１に記載の暴露試験片の箱型収納ホルダー。
【請求項３】
ケース本体の天板、固定板、底板のそれぞれにおいて、開口部の近傍に孔を設けると共に、閉鎖板の所定の位置に孔を設け、ケース本体の収納部に閉鎖板を挿入した状態で、天板、閉鎖板、固定板、底板の各孔に貫挿する棒状の固定杆を備えている請求項２に記載の暴露試験片の箱型収納ホルダー。
【請求項４】
ケース本体は、背板の縦方向に、下方に行くに従い高さを低くしている傾斜板を備えている請求項１乃至３のいずれかに記載の暴露試験片の箱型収納ホルダー。
【請求項５】
請求項１乃至４に記載されている暴露試験片の箱型収納ホルダーを使用した、暴露試験片の腐食状態測定方法。
【発明の詳細な説明】
【技術分野】
【０００１】
本発明は、暴露試験片が雨を受けて、暴露試験片の表面に着いている付着物が洗い流されることを防止した、暴露試験片の箱型収納ホルダーと、この暴露試験片の箱型収納ホルダーを使用した、暴露試験片の腐食状態測定方法に関するものである。
【背景技術】
【０００２】
電柱や鉄塔等の様々な構成部材の腐食をもたらす腐食環境因子としては、例えば、大気中に飛来している海塩、降雨時の酸性雨、光化学スモッグや腐食性ガス（例えば、ソックスＳＯｘ）等に含まれる各種成分等が挙げられる。
【０００３】
この様な腐食環境因子により、電柱や鉄塔等の様々な構成部材がどのように腐食していくのかを確認する場合、例えば、図１１に示すように、電柱Ｔに巻き付けた所定の保持バンド１００を介して、矩形の板状に形成されたホルダー盤１０１を電柱Ｔに取り付け、このホルダー盤１０１に複数の暴露試験片Ｑを固定して、個々の暴露試験片Ｑの腐食状態を観察していた。
【０００４】
また、電柱や鉄塔等の様々な構成部材の腐食速度等を測定する場合、例えば、図１２に示すように、電柱Ｔに巻き付けた一対の保持バンド１００間に所定の長さの固定杆１０２を配置し、この固定杆１０２に複数の取り付け台１０３を固定し、これらの取り付け台１０３に暴露試験片ＱとＡＣＭセンサＳを配置して、暴露試験片Ｑの腐食状態を観察して、その腐食速度等の測定を行っていた。このＡＣＭセンサＳは、データロガーＤに接続している。
【０００５】
ＡＣＭ（Atmospheric Corrosion Monitor）センサＳを使用して腐食速度を推定する方法としては、例えば、特許文献１に開示されているように、ＡＣＭセンサＳにより、付着イオンの種類と量を分析する手法が存在する。
【０００６】
具体的には、被評価ＡＣＭセンサの表面の付着物を分析して解析電流値を求め、該被評価ＡＣＭセンサの恒温恒湿条件下での測定出力電流値と解析電流値との相関関係から、被評価ＡＣＭセンサの測定出力電流値を補正する。こうして、被評価ＡＣＭセンサの電気量と、予め設定した電気量と腐食速度との関係に基づいて、実構造物の推定腐食速度を求めるのである。
【先行技術文献】
【特許文献】
【０００７】
【特許文献１】特開２００８−１５７６４７号公報
【発明の概要】
【発明が解決しようとする課題】
【０００８】
この様に、従来においては、電柱Ｔ等の高所に暴露試験片Ｑを取り付けて、その暴露試験片Ｑの腐食状態を観察していたが、暴露試験片Ｑが露出していることから、降雨時に暴露試験片が水滴を受けることにより、暴露試験片の表面に着いている付着物が洗い流されてしまう事態が生じていた。
【０００９】
その為、雨により暴露試験片の付着物が洗い流されてしまうことのない環境を模擬して、暴露試験片Ｑの腐食状態・腐食環境を測定することができなかった。
【００１０】
即ち、雨により付着物が洗い流されてしまうことのない環境においては、例えば、大気中に飛来している海塩等が暴露試験片Ｑに常時付着して、暴露試験片Ｑが非常に腐食し易い状態となっている。
【００１１】
この様に、雨により付着物が洗い流されてしまうことのない環境は、暴露試験片Ｑが非常に腐食し易い特殊な状態であることから、雨により暴露試験片の付着物が洗い流されてしまうことのない環境を模擬して、暴露試験片Ｑの腐食状態・腐食環境を測定する必要があるのである。
【００１２】
そこで、本発明は、如上のような従来存した諸事情に鑑み創出されたもので、側方に開口部を有する縦長の箱状に形成されたケース本体内に、暴露試験片やＡＣＭセンサーを収納して、降雨時に暴露試験片の表面に着いている種々の付着物が洗い流されてしまうことを防止した、暴露試験片の箱型収納ホルダーと、この暴露試験片の箱型収納ホルダーを使用した、暴露試験片の腐食状態測定方法を提供することを目的とする。
【課題を解決するための手段】
【００１３】
本発明に係る暴露試験片の箱型収納ホルダーは、側方に開口部を有する縦長の箱状に形成されたケース本体において、ケース本体内に、矩形状の暴露試験片や、矩形状のＡＣＭセンサーを配置する収納部を、縦方向に複数設け、
ケース本体は、矩形状の天板及び底板を所定の間隔を開けて上下に配置し、天板と底板の一方側の側辺同士、他方側の側辺同士を接続するように長方形の側板をそれぞれ固定し、天板と底板の基端側の側辺同士、両側板の基端側の長手方向における側辺に沿った部分同士を接続するように長方形の背板を固定し、
ケース本体内に、所定の間隔を開けて矩形状の固定板を複数配置すると共に、固定板の左右両端部において、ケース本体の側板に沿うように長方形の支持板を配置し、両支持板の上縁とその上方に位置している天板の間に形成されている空間、また、両支持板の上縁とその上方に位置している固定板の間に形成されている空間を、暴露試験片やＡＣＭセンサーの収納部としていることで、上述した課題を解決した。
【００１６】
また、ケース本体は、個々の収納部に暴露試験片やＡＣＭセンサーを配置した状態で、収納部に挿入する長方形状の閉鎖板を備えていることで、同じく上述した課題を解決した。
【００１７】
加えて、ケース本体の天板、固定板、底板のそれぞれにおいて、開口部の近傍に孔を設けると共に、閉鎖板の所定の位置に孔を設け、ケース本体の収納部に閉鎖板を挿入した状態で、天板、閉鎖板、固定板、底板の各孔に貫挿する棒状の固定杆を備えていることで、同じく上述した課題を解決した。
【００１８】
また、ケース本体は、背板の縦方向に、下方に行くに従い高さを低くしている傾斜板を備えていることで、同じく上述した課題を解決した。
【００１９】
この他、本発明に係る暴露試験片の箱型収納ホルダーを使用した、暴露試験片の腐食状態測定方法は、前記した箱型収納ホルダーを使用して暴露試験片の腐食状態を測定することで、同じく上述した課題を解決した。
【発明の効果】
【００２０】
本発明に係る暴露試験片の箱型収納ホルダーは、側方に開口部を有する縦長の箱状に形成されたケース本体において、ケース本体内に、矩形状の暴露試験片や、矩形状のＡＣＭセンサーを配置する収納部を、縦方向に複数設けていることから、ケース本体内の収納部に暴露試験片を配置したときには、降雨時に暴露試験片の表面に着いている種々の付着物が洗い流されてしまうことを防止できる。
【００２１】
即ち、雨により付着物が洗い流されてしまうことのない環境においては、例えば、大気中に飛来している海塩等が暴露試験片に常時付着して、暴露試験片が非常に腐食し易い状態となっている。
【００２２】
この様に、雨により付着物が洗い流されてしまうことのない環境は、暴露試験片が非常に腐食し易い特殊な状態であることから、ケース本体内の収納部に暴露試験片を配置することにより、雨により暴露試験片の付着物が洗い流されてしまうことのない環境を模擬できることとなり、当該環境における暴露試験片の腐食状態・腐食環境を測定できるのである。
【００２３】
また、ケース本体は、矩形状の天板及び底板を所定の間隔を開けて上下に配置し、天板と底板の一方側の側辺同士、他方側の側辺同士を接続するように長方形の側板をそれぞれ固定し、天板と底板の基端側の側辺同士、両側板の基端側の長手方向における側辺に沿った部分同士を接続するように長方形の背板を固定していることから、側方にのみ開口部を有するケース本体の収納部に暴露試験片を配置することにより、降雨時に暴露試験片が水滴を受けることがない。
【００２４】
さらに、ケース本体内に、所定の間隔を開けて矩形状の固定板を複数配置すると共に、固定板の左右両端部において、ケース本体の側板に沿うように長方形の支持板を配置し、両支持板の上縁とその上方に位置している天板の間に形成されている空間、また、両支持板の上縁とその上方に位置している固定板の間に形成されている空間を、暴露試験片やＡＣＭセンサーの収納部としていることから、当該空間に暴露試験片を配置したときは、両支持板の上縁と、その上方に位置している天板・固定板の間に暴露試験片が挟まれたような状態となる。この天板・固定板の存在により、降雨時に暴露試験片が水滴を受けることを、より確実に防止している。
【００２５】
加えて、暴露試験片は、両支持板の上縁により支持されているものの、暴露試験片の下面全体が露出していることから、この暴露試験片の露出面に、腐食を生じさせることができる。
【００２６】
また、ケース本体は、個々の収納部に暴露試験片やＡＣＭセンサーを配置した状態で、収納部に挿入する長方形状の閉鎖板を備えていることから、収納部から暴露試験片やＡＣＭセンサーが抜け落ちてしまう事態の発生を防止できる。加えて、この閉鎖板が存在することにより、収納部の開口部側からの水滴の侵入を阻止している。
【００２７】
さらに、ケース本体の天板、固定板、底板のそれぞれにおいて、開口部の近傍に孔を設けると共に、閉鎖板の所定の位置に孔を設け、ケース本体の収納部に閉鎖板を挿入した状態で、天板、閉鎖板、固定板、底板の各孔に貫挿する棒状の固定杆を備えていることから、ケース本体の収納部に配置した閉鎖板が、ケース本体から外れることがない。
【００２８】
その為、収納部に暴露試験片やＡＣＭセンサーが配置されている状態が、確実に維持されている。
【００２９】
また、ケース本体は、背板の縦方向に、下方に行くに従い高さを低くしている傾斜板を備えていることから、ケース本体を電柱に固定したとき、ケース本体の開口部が常に水平になっている状態を維持できる。
【００３０】
具体的には、電柱において、その基端部側が太く形成され、先端部側に行くに従い細くなるように周面が若干傾斜している場合であっても、ケース本体の傾斜板を電柱に宛がうことにより、ケース本体が直立して、ケース本体の開口部において、天板、閉鎖板、固定板、底板が常に水平になっている状態を維持できるのである。
【００３１】
この他、本発明に係る暴露試験片の箱型収納ホルダーを使用した、暴露試験片の腐食状態測定方法によれば、ケース本体内に複数の暴露試験片を配置して、個々の暴露試験片の腐食状態・腐食環境を同時に測定することができる。
【００３２】
また、ケース本体の収納部へ暴露試験片を配置する手順や、ケース本体の収納部から暴露試験片を取り出す手順も、極めて容易である。
【００３３】
そして、本発明によれば、雨により付着物が洗い流されてしまうことのない環境を容易に模擬して、当該環境における暴露試験片の腐食状態・腐食環境を正確に測定できるのである。
【図面の簡単な説明】
【００３４】
【図１】箱型収納ホルダーの構成を示すもので、ケース本体の収納部に、暴露試験片と閉鎖板、また、ＡＣＭセンサーと閉鎖板を配置する状態を示す分解斜視図である。
【図２】箱型収納ホルダーの構成を示すもので、ケース本体の収納部に、暴露試験片と閉鎖板、また、ＡＣＭセンサーと閉鎖板を配置する状態を示す分解断面図である。
【図３】箱型収納ホルダーの構成を示すもので、ケース本体の収納部に、暴露試験片と閉鎖板、また、ＡＣＭセンサーと閉鎖板を配置した状態を示す斜視図である。
【図４】箱型収納ホルダーの構成を示すもので、ケース本体の収納部に、暴露試験片と閉鎖板、また、ＡＣＭセンサーと閉鎖板を配置した状態を示す断面図である。
【図５】箱型収納ホルダーの構成を示すもので、ケース本体の収納部に、閉鎖板のみが配置されている状態を示す斜視図である。
【図６】箱型収納ホルダーの構成を示すもので、ケース本体の収納部に、閉鎖板のみが配置されている状態を示す断面図である。
【図７】箱型収納ホルダーの構成を示すもので、ケース本体から固定杆を引き抜いて、収納部から閉鎖板を取り出している状態を示す分解斜視図である。
【図８】箱型収納ホルダーを構成するケース本体を、電柱に取り付けている状態を示す斜視図である。
【図９】箱型収納ホルダーを構成するケース本体を、電柱に取り付けている状態を示す断面図である。
【図１０】箱型収納ホルダーを構成するケース本体の収納部に暴露試験片を配置して、その腐食状況を観察した場合と、暴露試験片を露出させた状態で暴露試験片の腐食状況を観察した場合の腐食速度を比較している説明図である。
【図１１】従来における、電柱への暴露試験片の取り付け状態を示す斜視図である。
【図１２】従来における、電柱へのＡＣＭセンサと暴露試験片の取り付け状態を示す斜視図である。
【発明を実施するための形態】
【００３５】
以下に、図面を参照して、本発明を実施するための形態を詳細に説明する。
【００３６】
本発明に係る暴露試験片の箱型収納ホルダー１は、図１・図２に示すように、側方に開口部２を有する縦長の箱状に形成されたケース本体３により構成されている。この暴露試験片の箱型収納ホルダー１は、図３・図４に示すように、ケース本体３内に、矩形状の暴露試験片Ｑや、矩形状のＡＣＭセンサーＳを配置する収納部４を、縦方向に複数設けている。
【００３７】
そして、ケース本体３の収納部４に、暴露試験片Ｑとしては、例えば、チタン板（Ｔｉ）や鉄板（Ｆｅ）等の異なる材質の暴露試験片Ｑを配置して、その腐食状況を個別に観察するのである。
【００３８】
暴露試験片ＱやＡＣＭセンサーＳを収容するケース本体３は、図１・図２に示すように、矩形状の天板５及び底板６を所定の間隔を開けて上下に配置し、天板５と底板６の一方側の側辺同士、他方側の側辺同士を接続するように長方形の側板７をそれぞれ固定している。また、ケース本体３は、天板５と底板６の基端側の側辺同士、両側板７の基端側の長手方向における側辺に沿った部分同士を接続するように、長方形の背板８を固定している。
【００３９】
この背板８は、図２・図４に示すように、両側板７の基端側の長手方向における側辺に沿った内側の部分同士を接続しており、両側板７の基端部が、背板８の外側に若干突出している。この両側板７における突出している部分は、全体として、下方に行くに従い高さを次第に低くしている傾斜板９を形成している。
【００４０】
また、この傾斜板９には、保持バンド１００を貫挿させる矩形状の孔１９を上下に設けている。
【００４１】
さらに、ケース本体３内においては、図１・図２に示すように、所定の間隔を開けて矩形状の固定板１０を複数配置している。また、固定板１０の左右両端部において、ケース本体３の側板６に沿うように、支持板１１を配置している。この支持板１１は、ケース本体３の開口部２から背板８に到達する長さを有する横長の長方形状に形成されている。
【００４２】
そして、図２・図４に示すように、両支持板１１の上縁と、その上方に位置している天板５の間に形成されている空間を、暴露試験片ＱやＡＣＭセンサーＳの収納部４としている。同様に、両支持板１１の上縁と、その上方に位置している固定板１０の間に形成されている空間も、その他の収納部４としている。
【００４３】
ケース本体３において、天板５及び底板６と、その間に配置されている複数の固定板１０において、その横幅は、暴露試験片Ｑの長手方向における横幅よりも、若干長くなるように形成されている。
【００４４】
また、ケース本体３の両側板７の内側には、所定の凹部を対向するように設けている。この凹部は、ケース本体３の開口部２側から背板８側に向けて、直線状に設けられている。さらに、両側板７の内側に対向するように設けているそれぞれの凹部は、互いに平行状態を維持している。そして、天板５と底板６の左右の側辺と、固定板１０の左右の側辺を、両側板６の凹部に嵌合するように固定している。
【００４５】
また、両支持板１１の上縁と、その上方に位置している天板５・固定板１０の間に形成されている空間においては、図１に示すように、暴露試験片Ｑの長手方向における側片が、開口部２側から背板８側に向かうことができるように、暴露試験片Ｑを収容できる横幅を有している。
【００４６】
そして、この空間内に暴露試験片Ｑを収容したとき、暴露試験片Ｑは、その短手方向における両側辺が、両支持板１１の上縁により下方から支えられた状態となる。このとき、暴露試験片Ｑは、ケース本体３の背板８側、また、開口部２側に向けて、自由に移動できる状態となっている。
【００４７】
さらに、両支持板１１の上縁と、その上方に位置している天板５・固定板１０の間に形成されている空間は、暴露試験片Ｑと、閉鎖板１２を収容できる奥行きを有している。
【００４８】
閉鎖板１２は、個々の収納部４に暴露試験片ＱやＡＣＭセンサーＳを配置した状態で、収納部４に挿入するもので、図３・図４に示すように、収納部４から暴露試験片ＱやＡＣＭセンサーＳが抜け落ちることを防止している。この閉鎖板１２は、図１に示すように、長方形状に形成されて、収納部４に収容される暴露試験片Ｑと略同じ横幅を有している。また、閉鎖板１２の略中央部には、所定の孔１３を設けている。
【００４９】
この他、ケース本体３の天板５、固定板１０、底板６のそれぞれにおいて、開口部２の近傍に孔１４を設けている。これらの複数の孔１４は、図２に示すように、上下方向において直線状に配置されている。
【００５０】
そして、図３・図４に示すように、ケース本体３の収納部４に閉鎖板１２を挿入した状態で、天板５、閉鎖板１２、固定板１０、底板６の各孔１３・１４に貫挿する棒状の固定杆１５を備えている。
【００５１】
この固定杆１５は、先端部が先細り状に形成されている。また、固定杆１５は、基端部を逆Ｕ字状に折曲して、ケース本体３からの抜け落ちを防止している。
【００５２】
また、天板５においては、図１・図２に示すように、固定杆１５を差し込む挿入体１６を設けている。この挿入体１６は、所定の長さの円筒状に形成され、内部にゴム材等を利用した筒状弾性部材１７を備えている。この筒状弾性部材１７に摺接しながら固定杆１５を差し込むことから、その差し込み時と、引き抜き時に所定の力を要することとなり、固定杆１５がケース本体３から不意に外れてしまう事態の発生を防止している。
【００５３】
さらに、挿入体１６は、その周面に環状板片１８を設けており、この環状板片１８を天板５に当接した状態で天板５に固定している。
【００５４】
本発明に係る暴露試験片の箱型収納ホルダー１を使用するときは、まず、図５・図６に示すように、ケース本体３の収納部４に、暴露試験片ＱやＡＣＭセンサーＳが存在していない状態において、図７に示すように、ケース本体３から固定杆１５を上方に向けて引き抜いて、ケース本体３の収納部４に配置している閉鎖板１２を開口部２から取り出す。
【００５５】
次に、図１・図２に示すように、ケース本体３の収納部４に、例えば、チタン板（Ｔｉ）や鉄板（Ｆｅ）等の異なる材質の暴露試験片Ｑを収納部４に入れ、収納部４に閉鎖板１２を挿入する。また、必要に応じて、ＡＣＭセンサーＳも収納部４に入れ、収納部４に閉鎖板１２を挿入する。
【００５６】
次に、図３・図４に示すように、ケース本体３の挿入体１６に固定杆１５を差し込んで、ケース本体３において、天板５、閉鎖板１２、固定板１０、底板６の各孔１３・１４に棒状の固定杆１５を貫挿させる。
【００５７】
次に、図８・図９に示すように、ケース本体３を、例えば、所定の電柱Ｔに宛がい、電柱Ｔに券回している保持バンド１００をケース本体３の孔１９に貫挿させて、電柱Ｔにケース本体３を固定する。
【００５８】
電柱Ｔは、一般的に、基端部側が太く形成され、先端部側に行くに従い細くなるように、その周面が若干傾斜している。この様な電柱Ｔにケース本体３を固定したときは、図９に示すように、ケース本体３において、両側板７の基端部側が、全体として下方に行くに従い高さを次第に低くしている傾斜板９を形成していることから、ケース本体３が直立して、ケース本体３の開口部２において、天板５、閉鎖板１２、固定板１０、底板６が常に水平になっている状態を維持している。
【００５９】
そして、図８に示すように、電柱Ｔにケース本体３を固定して、収納部４に配置している暴露試験片Ｑの腐食状況を観察した場合と、図１１に示すように、暴露試験片Ｑを露出させた状態で暴露試験片Ｑの腐食状況を観察した場合を比較すると、図１０に示すように、ケース本体３の収納部４に暴露試験片Ｑを配置している方が腐食速度が速いことが確認されている。
【００６０】
尚、図１０において、ケース本体３を用いている場合は、「軒下」と表示されている。また、図１０において、暴露試験片Ｑを露出させている場合は、「暴露片」と表示されている。
【００６１】
さらに、「大神宮１３６」地域において、ケース本体３の開口部２が海側を向いているとき、腐食速度が「１６５．１」となり、最も腐食速度が速くなっている。また、同一地域において、暴露試験片Ｑが海側を向いて露出している場合は、腐食速度が「２６.５」となっている。
【００６２】
この他、「大神宮１３６」地域において、ケース本体３の開口部２が陸側を向いているとき、腐食速度が「３６．６」となっている。また、同一地域において、暴露試験片Ｑが陸側を向いて露出している場合は、腐食速度が「２２．５」となっている。
【００６３】
さらに、「三坂７５」地域において、ケース本体３の開口部２が海側を向いているとき、腐食速度が「４９．９」となっている。また、同一地域において、暴露試験片Ｑが海側を向いて露出している場合は、腐食速度が「３０．９」となっている。
【００６４】
加えて、「三坂７５」地域において、ケース本体３の開口部２が陸側を向いているとき、腐食速度が「４４．８」となっている。また、同一地域において、暴露試験片Ｑが陸側を向いて露出している場合は、腐食速度が「２２．１」となっている。
【００６５】
この様に、ケース本体３の収納部４に暴露試験片Ｑを配置して、暴露試験片Ｑの付着物が雨により洗い流されてしまうことのない環境の方が、暴露試験片Ｑの腐食が進行し易い特殊な状態であることが判明している。
【００６６】
尚、本発明は、前記した実施の形態に限定されるものではなく、本発明の目的を達成できる範囲での改良・変形等は、本発明に全て包含されるものである。
【産業上の利用可能性】
【００６７】
本発明は、例えば、沿岸に沿って設置されている電柱にケース本体を取り付けて暴露試験片の腐食状態を測定することの他に、地上に設置されている様々な構造物にケース本体を取り付けて、内部に配置されている暴露試験片の腐食状態を測定する場合にも、幅広く利用することができる。
【符号の説明】
【００６８】
Ｑ…暴露試験片
Ｓ…ＡＣＭセンサ
Ｔ…電柱
Ｄ…データロガー
１…暴露試験片の箱型収納ホルダー
２…開口部
３…ケース本体
４…収納部
５…天板
６…底板
７…側板
８…背板
９…傾斜板
１０…固定板
１１…支持板
１２…閉鎖板
１３…孔
１４…孔
１５…固定杆
１６…挿入体
１７…筒状弾性部材
１８…環状板片
１９…孔
１００…保持バンド
１０１…ホルダー盤
１０２…固定杆
１０３…取り付け台
【図１】
0005610371.tif 000002
【図２】
0005610371.tif 000003
【図３】
0005610371.tif 000004
【図４】
0005610371.tif 000005
【図５】
0005610371.tif 000006
【図６】
0005610371.tif 000007
【図７】
0005610371.tif 000008
【図８】
0005610371.tif 000009
【図９】
0005610371.tif 000010
【図１０】
0005610371.tif 000011
【図１１】
0005610371.tif 000012
【図１２】
0005610371.tif 000013